(57)【要約】【課題】壁材や巾木などのユニットを取り外すことなく簡便に防塵用フィルタの清掃作業を行う。【解決手段】換気構造２は、室３内の床４上に設けられる上側壁パネル５と、この上側壁パネル５と床４との間に設けられる下側壁パネル７Ａ、７Ｂとを備えるとともに、外枠２０が開口部８とこの開口部近傍に引き込まれた換気ダクト側分岐管１３の開口部１４との間を接続して連通するようになっている。この外枠２０には、防塵フィルタ３３を交換可能に取り付けた内枠３０が表側から出し入れ自在に装着される。【選択図】図３
2015021688.tif 000002
【特許請求の範囲】
【請求項１】
室内の壁面に設けられる壁材に形成された開口部と換気ダクトとを接続し、室内のエアを吸引して換気する換気構造であって、
前記壁材の開口部とこの開口部近傍に引き込まれて配置された換気ダクト側開口部との間にこれら両開口部を連通する外枠を設け、この外枠に防塵フィルタを交換可能に取り付けた内枠を表側から出し入れ自在に装着したことを特徴とする換気構造。
【請求項２】
外枠を、外周が壁材の開口部に合致して筒状に形成されこの開口部に挿通されて内側開口端が換気ダクトの分岐管に接続される外枠本体と、この外枠本体の表側端縁に形成され壁材開口部周縁に当接されて取り付け具により壁材に取り付けられるフランジ部と、外枠本体の内面から突出して形成され内枠の内外方向内側への変位を規制するストッパ部とを備えて構成し、
内枠には、表側に取っ手を形成するとともに、取っ手の裏側に防塵フィルタを着脱自在に装着する着脱部を設けて構成したことを特徴とする請求項１に記載の換気構造。
【請求項３】
内枠には、内枠外周面から出没自在に設けられ外面が湾曲して形成されたロック部材と、このロック部材を外側に突出させるよう弾発付勢するばねとを備えるとともに、外枠本体には、内枠が外枠に嵌め入れられてストッパ部に当接すると、ロック部材を受け入れる受け入れ部を形成してロック機構を構成したことを特徴とする請求項２に記載の換気構造。
【請求項４】
換気構造は、トイレに設けられることを特徴とする請求項１ないし３のうちいずれか１に記載の換気構造。
【請求項５】
防塵フィルタは、孔の穿設された金属板により構成されることを特徴とする請求項１ないし４のうちいずれか１に記載の換気構造。
【発明の詳細な説明】
【技術分野】
【０００１】
本発明は、不特定多数が利用するトイレ等の換気構造に関するものである。
【背景技術】
【０００２】
従来、トイレの換気を行うには、トイレの室内を画成する壁材と床との間に設けられる巾木に換気用の開口部を設け、この開口部を枝管を介して換気ダクトに接続し、換気ダクトの他端を屋外に連通させ換気ファンにより強制排気するようにしている（例えば、特許文献１参照）。
【０００３】
ところで、上記従来の換気構造では、枝管の開口端に換気ボックスを接続して、この換気ボックスを巾木の開口部の形状に合致させて裏面側に配置し、この換気ボックスには、防塵用の網体を設けるようにしている。経年の使用に伴い、網体に埃が詰まると、換気性能が低下するため、保守点検により網体の埃詰まりが見つかると、換気ボックスを取り外して網体の交換作業が行われる。
【先行技術文献】
【特許文献】
【０００４】
【特許文献１】実用新案登録第２５２５３００号公報
【発明の概要】
【発明が解決しようとする課題】
【０００５】
しかしながら、網体の交換作業では、まず、トイレの使用を中止して、巾木を取り外し、次に、換気ボックスを枝管端部から離脱させ、換気ボックスの網体を交換するようにしている。交換後、新たな網体が取り付けられた換気ボックスを枝管に接続し、巾木を元の場所に取り付け、交換作業が終了するようになっている。このため、交換作業に手間がかかり、作業時にはトイレを利用できないという問題がある。
【０００６】
本発明は上記課題を解決するためになされたもので、簡便に防塵用フィルタの清掃作業または交換作業を行うことができる換気構造を提供することを目的とするものである。
【課題を解決するための手段】
【０００７】
本発明の請求項１に係る換気構造は、室内の壁面に設けられる壁材に形成された開口部と換気ダクトとを接続し、室内のエアを吸引して換気する換気構造であって、前記壁材の開口部とこの開口部近傍に引き込まれて配置された換気ダクト側開口部との間にこれら両開口部を連通する外枠を設け、この外枠に防塵フィルタを交換可能に取り付けた内枠を表側から出し入れ自在に装着したことを特徴とするものである。
【０００８】
本発明の請求項１に係る換気構造では、室内の壁面に設けられる壁材に形成された開口部と換気ダクトとを接続し、室内のエアを吸引して換気する換気構造であって、前記壁材の開口部とこの開口部近傍に引き込まれて配置された換気ダクト側開口部との間にこれら両開口部を連通する外枠を設け、この外枠に防塵フィルタを交換可能に取り付けた内枠を表側から出し入れ自在に装着したことにより、現場で内枠を取り外して、防塵フィルタを清掃または交換することができるので、作業が効率化される。
【０００９】
本発明の請求項２に係る換気構造は、外枠を、外周が壁材の開口部に合致して筒状に形成されこの開口部に挿通されて内側開口端が換気ダクトの分岐管に接続される外枠本体と、この外枠本体の表側端縁に形成され壁材開口部周縁に当接されて取り付け具により壁材に取り付けられるフランジ部と、外枠本体の内面から突出して形成され内枠の内外方向内側への変位を規制するストッパ部とを備えて構成し、内枠には、表側に取っ手を形成するとともに、取っ手の裏側に防塵フィルタを着脱自在に装着する着脱部を設けて構成したことを特徴とするものである。
【００１０】
本発明の請求項３に係る換気構造は、内枠には、内枠外周面から出没自在に設けられ外面が湾曲して形成されたロック部材と、このロック部材を外側に突出させるよう弾発付勢するばねとを備えるとともに、外枠本体には、内枠が外枠に嵌め入れられてストッパ部に当接すると、ロック部材を受け入れる受け入れ部を形成してロック機構を構成したことを特徴とするものである。
【００１１】
本発明の請求項４に係る換気構造は、換気構造が、トイレに設けられることを特徴とするものである。
【００１２】
本発明の請求項５に係る換気構造は、防塵フィルタが、孔の穿設された金属板により構成されることを特徴とするものである。
【発明の効果】
【００１３】
本発明に係る換気構造は、室内の壁面に設けられる壁材に形成された開口部と換気ダクトとを接続し、室内のエアを吸引して換気する換気構造であって、前記壁材の開口部とこの開口部近傍に引き込まれて配置された換気ダクト側開口部との間にこれら両開口部を連通する外枠を設け、この外枠に防塵フィルタを交換可能に取り付けた内枠を表側から出し入れ自在に装着したので、現場で内枠を取り外して防塵フィルタを掃除することができ、壁材や巾木などのユニットを取り外す必要がなく、作業が効率化される。
【図面の簡単な説明】
【００１４】
【図１】図１は本発明の第１の実施例に係る換気構造が設置されたトイレを示す説明図である。（実施例１）
【図２】図２は図１の換気構造の換気ダクトと外枠と内枠と便器との配置を示す説明図である。
【図３】図３の（Ａ）ないし（Ｄ）はそれぞれ、図１の換気構造の外枠に内枠を装着した状態を示す正面図、その状態の縦断面図、要部の断面図および分岐管と接続ダクトの接続を示す説明図である。
【図４】図４は図１の換気構造の外枠と内枠とを分離させた状態を示す斜視図である。
【図５】図５の（Ａ）、（Ｂ）はそれぞれ、ロック機構の平面図および側面図である。
【図６】図６の（Ａ）ないし（Ｃ）はそれぞれ、開口部が形成された下側壁パネルをトイレの壁材と床との間に設置した状態を示す説明図、外枠を下側壁パネルの開口部から挿入してフランジ部を下側壁パネルに取り付けた状態を示す説明図および防塵フィルタが装着された内枠を外枠に嵌め入れた状態を示す説明図である。
【発明を実施するための形態】
【００１５】
防塵用フィルタの清掃作業または交換作業を簡便に行うという目的を、室内の壁面に設けられる壁材に形成された開口部と換気ダクトとを接続し、室内のエアを吸引して換気する換気構造であって、前記壁材の開口部とこの開口部近傍に引き込まれて配置された換気ダクト側開口部との間にこれら両開口部を連通する外枠を設け、この外枠に防塵フィルタを交換可能に取り付けた内枠を表側から出し入れ自在に装着したことにより実現した。
【実施例１】
【００１６】
以下、図面に示す実施例により本発明を説明する。本発明の一実施例に係る換気構造２は、図１および図２に示すように、不特定多数が利用するトイレ等の室３内に設置される。室３の床４から所定の高さの壁面には、上側壁パネル（壁材）５が並設して形成される。床４と上側壁パネル５との間には、内部に設備の収納空間Ｓを確保して下側壁パネル（壁材）７が並設される。下側壁パネル７は、短寸の横幅で下部に換気用開口部８が形成された下側壁パネル７Ａと長寸の横幅で表側に便器９が取り付けられる下側壁パネル７Ｂとからなり、これら下側壁パネル７Ａ、７Ｂを交互に並べて下側壁パネル部１０が形成される。下側壁パネル部１０と上側壁パネル５が設けられた壁面との間に形成される設備収納空間Ｓ（図３の（Ｂ）参照）には、その上部開口を塞ぐ天板１１が設けられる。
【００１７】
下側壁パネル部１０と壁面との間に画成される空間Ｓには、図２に示すように、換気ダクト１２が引き込まれる。換気ダクト１２の吸気排出端は、図示しない換気ファンを通じて外気に連通される。換気ダクト１２には、便器９の配置に応じて所定の間隔で分岐管１３（１３Ａ、１３Ｂ、１３Ｃ）が接続され、これら分岐管１３は、換気用開口部８の近傍に引き込まれ、分岐管１３の他端開口部１４は、下側壁パネル７Ａの開口部８に対して所定の間隔を隔てて臨むようになっている（図３の（Ｂ）参照）。この分岐管１３の下端開口部１４には、接続ダクト１５の上部開口部が接続される。接続ダクト１５は、開口部８に対応して向かい合って配置され、開口部８に臨む面には、接続開口部１５Ａが形成され、後述する外枠２０の一端が嵌装されるようになっている。
【００１８】
ところで、本実施例に係る換気構造２は、外枠２０が下側壁パネル７Ａの開口部８と接続ダクト１５の接続開口部１５Ａとを接続して連通するようになっている。外枠２０は、外周が下側壁パネル７Ａの四角形状開口部８に合致して角筒状に形成される。外枠２０は、下側壁パネル７Ａの開口部８と接続ダクト１５の接続開口部１５Ａとの間を接続して連通する外枠本体２１と、この外枠本体２１の表側端縁（内外方向外側端縁）に形成されたフランジ部２３と、外枠本体２１の表側端縁から奥行き方向に所定の距離隔てて内面から突出して形成されたストッパ部２４とを備えて構成される。フランジ部２３は、外枠本体２１が下側壁パネル７Ａの開口部８から挿入されて接続ダクト１５に接続されると、下側壁パネル７Ａの開口部周縁８Ａに当接されるようになっている。フランジ部２３は角部に取り付け孔が穿設される。この外枠２０は、内外方向の内側開口端２０Ａを下側壁パネル７Ａの開口部８から接続ダクト１５の接続開口部１５Ａに嵌め入れてフランジ部２３を下側壁パネル７Ａの開口部周縁８Ａに当接させ、取り付けねじ２２をフランジ部２３の取り付け孔に螺入すると、下側壁パネル７Ａに取り付けられるようになっている。こうして外枠２０により接続ダクト１５と分岐管１３とを介して室３と換気ダクト１２とが連通される。
【００１９】
外枠２０には、内枠３０が内外方向外側開口部（表側開口部）２０Ｂから出し入れ自在に装着される。内枠３０は、外枠本体２１の内面に嵌め入れられるよう外枠本体２１の内面にほぼ合致して角筒状に形成される。内枠３０には、外側（表側）に鎧板３１が水平に所定の間隔で取り付けられる。鎧板３１には、左右両側に鎧板３１を支持する支持板３２が設けられる。これら鎧板３１と支持板３２とにより取っ手が形成される。鎧板３１は作業者が手で握り内枠３０を外枠２０から出し入れするのに用いられる。
【００２０】
内枠３０の裏側（内外方向内側）には、防塵フィルタ３３を交換可能に取り付ける着脱部３４が設けられる。着脱部３４は、内枠３０の内外方向内側の両側端部を内部に向けて折り曲げ、内側底部端縁を折り曲げ部側に延長して形成され、防塵フィルタ３３を上部開口から出し入れさせるようになっている。内枠３０は、この着脱部３４に防塵フィルタ３３が取り付けられると、作業者が鎧板３１を手で掴み、外枠２０に押し込むようになっている。そして、内枠３０は、内外方向の内側端面が外枠２０のストッパ部２４に当接すると、それ以上の変位が規制されその規制位置で外枠３０に装着されるようになっている。このとき、内枠３０の内外方向外側端面はフランジ部２３とほぼ同一平面上に位置するようになっている。このように、突出する部分をなくしているので、たとえ、利用者の体の一部が触れても怪我をしないようになっている。内枠３０は盗難や破損に備えて予備をストックするようにしてもよい。
【００２１】
防塵フィルタ３３は、円孔が多数穿設されたステンレス製のパンチングメタルの一枚板により構成される。この防塵フィルタ３３は、円孔の径を異ならせた複数の種類から構成され、施設の換気プランに応じて、開口率を変化させて適宜選択して用いられるようになっている。防塵フィルタ３３は、金属製の一枚板から構成されているので、内枠３０が外枠２０から取り外され、内枠３０から防塵フィルタ３３が引き抜かれると、現場で洗浄して水分を除去すると、その場で再び内枠３０に差し入れ、防塵フィルタ３３が取り付けられた内枠３０を外枠２０に装着して、清掃作業を完了するようになっている。現場で作業ができない場合には、内枠３０から防塵フィルタ３３を取り外して、新たな防塵フィルタと交換し、汚れた防塵フィルタ３３を別の場所で洗浄するようにしてもよいし、内枠３０をまるごと新たなものと交換するようにしてもよい。なお、防塵フィルタ３３は、格子状またはスリットが多数形成された一枚板から構成してもよい。また、防塵フィルタ３３は、金属板に代えて合成樹脂製の板で構成し、使い捨てにするようにしてもよい。また、外枠２０、内枠３０および防塵フィルタ３３は、上側壁パネル５および下側壁パネル７Ａ、７Ｂに合わせた色彩で防錆塗装が施されるようになっている。
【００２２】
内枠３０と外枠２０とには、ロック機構４０が設けられる。ロック機構４０は、図５の（Ａ）および（Ｂ）に示すように、三角戸ばねの構造を有するもので、内枠３０の左右両側枠３０Ａ、３０Ｂにそれぞれ開口する開口部４２、４２を形成し、これら開口部４２、４２の内側上下に形成された軸支持部４１Ａ、４１Ｂと、これら軸支持部４１Ａ、４１Ｂ間に軸支された軸４１Ｃと、開口部４２、４２から外側に進退自在にかつ脱落を阻止して収容された断面く字状折曲金属片からなるロック部材４３と、軸４１Ｃに挿通されるとともに両端がロック部材４３の内面に当接し、ロック部材４３、４３を外側に弾発付勢するトーションばね（ばね）４４とを備えて構成される。また、ロック機構４０は、外枠本体２１の左右両側面２１Ａ，２１Ｂにロック部材４３、４３を受け入れる孔（受け入れ部）４５、４５を穿設して構成される。ロック機構４０は、内枠３０が外枠２０に嵌め入れられると、ロック部材４３、４３の突出端は外枠本体２１の左右両内面に圧接されてトーションばね４４、４４の付勢力に抗して開口部４２、４２から内側に後退し、内枠３０がストッパ部２４に当接すると、ロック部材４３、４３はトーションばね４４、４４の弾発付勢力により外枠本体２１の孔４５、４５に突出し、内枠３０をその位置でロックして確実に保持するようになっている。そして、内枠３０をトーションばね４４、４４の弾発付勢力に打ち勝つ力で外枠２０から引き抜くと、ロックは解除されるようになっている。なお、ロック部材４３、４３を受け入れる受け入れ部を外枠本体２１に穿設した４５、４５により構成しているが、これに限られるものではなく、外枠本体２１に凹陥部を形成して構成するようにしてもよい。
【００２３】
次に、上記実施例に係る換気構造２の作用について説明する。上記実施例に係る換気構造２は、まず、換気ダクト１２の分岐管１３に接続ダクト１５を設置して、この接続ダクト１５の配置に応じて、下側壁パネル７Ａに開口部８を穿設する。次に、開口部８が形成された下側壁パネル７Ａをトイレ等の室３に設置する（図６の（Ａ）参照）。そして、外枠２０を下側壁パネル７Ａの開口部８から内部に挿入し、外枠２０の内外方向の内側開口端２０Ａを接続ダクト１５の接続開口部１５Ａに嵌め入れてフランジ部２３を下側壁パネル７Ａの開口部周縁８Ａに当接させ、取り付けねじ２２によりフランジ部２３を下側壁パネル７Ａに取り付ける。この状態で外枠２０により分岐管１３と室３とが連通される（図６の（Ｂ）参照）。次に、内枠３０の着脱部３４に防塵フィルタ３３を取り付け、この内枠３０を、鎧板３１を手で掴んで外枠本体２１の表側開口部２０Ｂに嵌め入れて押し込み、ストッパ部２４に当接させて規制位置で外枠３０に装着させる。このとき、ロック機構４０のロック部材４３、４３はトーションばね４４、４４により外枠本体２１の孔４５、４５に突出して弾発保持されるので、内枠３０は外枠２０に対して確実に保持される。こうして、室３内のエアは内枠３０の防塵フィルタ３３を介して接続ダクト１５および分岐管１３から換気ダクト１２に導かれ排気される。
【００２４】
経年の使用により防塵フィルタ３３の埃詰まりが確認されると、現場に清掃道具を持ち込み、内枠３０を外枠２０から取り外し、内枠３０から防塵フィルタ３３を引き抜くと、現場で清掃道具により防塵フィルタ３３を洗浄するようになっている。洗浄後、水分を除去すると、再び内枠３０に差し入れ、防塵フィルタ３３が取り付けられた内枠３０を外枠２０に装着して、清掃作業を完了するようになっている。現場で作業ができない場合には、内枠３０から防塵フィルタ３３を取り外して、新たな防塵フィルタと交換し、汚れた防塵フィルタ３３を別の場所で洗浄するようにしてもよいし、内枠３０をまるごと新たなものと交換するようにしてもよい。このように、本実施例に係る換気構造２では、現場で内枠３０を取り外すだけで防塵フィルタの清掃作業を行うことができ、下側壁パネル７Ａ、７Ｂを取り外したり設置し直す必要がない。また、引き抜いた内枠３０に対して詰まった防塵フィルタ３３のみを新たな防塵フィルタ３３とその場で交換して、装着するようにしてもよい。そのようにすることにより、交換作業は、防塵フィルタの交換だけで済むので、内枠３０を持ち込む必要がなくなる。このように、本実施例に係る換気構造では、防塵フィルタの交換の際、下側壁パネル７Ａ、７Ｂを取り外して作業する必要がなく、作業を簡便に行うことができる。
【００２５】
なお、上記実施例では、壁材に換気構造の外枠を設けるようにしているがこれに限られるものではなく、室内の床上で壁面に設けられる壁材と、この壁材と床との間に設けられる巾木に設け、巾木に設けた外枠に内枠を着脱自在に取り付けるようにしてもよい。また、内枠２０に防塵フィルタ３３の着脱部３４を設けるようにしているがこれに限られるものではなく、角型枠に防塵フィルタを予め装着し、この角形枠を内枠３０の裏側から着脱自在に嵌合させるようにしてもよい。さらに、壁部のうち上側は上側壁パネル５を並設して形成するようにしているがこれに限られるものではなく、上側の壁部を構成する壁材として、タイルを用い、タイルを壁面に貼設するようにしてもよい。さらに、上記実施例では、換気構造をトイレなどの室内に設けているが、これに限られるものではなく、不特定多数の人が出入りする施設に設けてもよいことはいうまでもない。
【符号の説明】
【００２６】
２  換気構造
３  室
４  床
５  上側壁パネル（壁材）
７  下側壁パネル（壁材）
７Ａ  短寸幅の下側壁パネル
７Ｂ  長寸幅の下側壁パネル
８  開口部
１２  換気ダクト
２０  外枠
３０  内枠
３３  防塵フィルタ
【図１】
2015021688.tif 000003
【図２】
2015021688.tif 000004
【図３】
2015021688.tif 000005
【図４】
2015021688.tif 000006
【図５】
2015021688.tif 000007
【図６】
2015021688.tif 000008